(57)【要約】【課題】カバーにおける水平杆の挿通部分を弾性撓曲し易くすることにより、カバーと座と間に、カバーを水平方向に若干移動させる必要のある相互係合手段を設けることができ、しかもカバーを座に対して、がたつき等が生じることなく、強固に係合させることができるようにした椅子を提供する。【解決手段】座７を支持する座受け部８から外側方に向かって複数の水平杆４が延出し、座受け部８等の下面を、カバー２８により覆った椅子において、カバー２８を弾性変形可能な材料により形成するとともに、カバー２８の外周に起立縁２８ｂを設け、この起立縁２８ｂに、各水平杆４が挿通する挿通孔２９と、この挿通孔２９から起立縁２８ｂの上端に至るスリット３０と、挿通孔２９からカバー２８の中央部に向かって延出するスリット３１とを設ける。【選択図】  図３
2010259693.tif 000002
【特許請求の範囲】
【請求項１】
座を支持する座受け部から外側方に向かって延出する複数の水平杆の全部または一部の外端部に脚杆を設け、かつ前記座、座受け部、および水平杆の一部の下面をカバーにより覆った椅子において、
前記カバーを弾性変形可能な材料により形成するとともに、前記カバーの外周に起立縁を設け、この起立縁に、前記各水平杆が挿通する挿通孔と、この挿通孔から前記起立縁の上端に至るスリットと、前記挿通孔からカバーの中央部に向かって延出するスリットとを設けたことを特徴とする椅子。
【請求項２】
カバーの一側部の上面と、それに対向する座の下面とのいずれか一方に係合凸部を突設し、かついずれか他方に、座に対してカバーが正規位置より側方に外れた組付け位置に位置しているときに、前記係合凸部が嵌合可能で、かつ前記カバーを正規位置へスライドさせることにより、前記カバーが下方へ移動するのを阻止するように前記係合凸部と係合しうるようにした係合孔を設け、さらに、カバーの他側部の上面と、それに対向する座の下面とのいずれか一方に係合爪を突設し、同じくいずれか他方に、座に対してカバーが正規位置に位置している状態で、前記係合爪が、前記カバーの組付け位置方向と下方への移動を阻止するように係合する被係合部を設けた請求項１記載の椅子。
【請求項３】
カバーが正規位置に位置したとき、カバーに設けたねじ挿通孔が、座に設けたねじ孔と整合するようにし、かつ前記ねじ挿通孔に挿通した固定ねじを、前記ねじ孔に螺合して締め付けることにより、前記カバーを座にねじ止めした請求項１または２記載の椅子。
【発明の詳細な説明】
【技術分野】
【０００１】
本発明は、座および座を支持する座受け部の下面を、カバーにより覆った椅子に関する。
【背景技術】
【０００２】
従来の椅子には、座を支持する座受け部から外側方に向かって延出する複数の水平杆の全部または一部の外端部に脚杆を連設し、かつ座、座受け部、および水平杆の一部の下面をカバーにより覆ったものがある(例えば、特許文献１参照)。
【０００３】
この発明においては、カバーの外周に設けた上向環状片に、水平杆が上方より嵌合しうるようにしたＵ字状の係合溝を設け、この係合溝の上端開口部に、互いに対向する１対の可撓片を設け、この可撓片を弾性撓曲させつつ、水平杆を係合溝内に嵌合させることにより、カバーを水平杆に係合させるようになっている。
【先行技術文献】
【特許文献】
【０００４】
【特許文献１】特開２００１−１７８５７７号公報
【発明の概要】
【発明が解決しようとする課題】
【０００５】
しかし、特許文献１に記載されている発明においては、カバー全体が比較的硬質で、カバーを装着させる際、大きな力を要するとともに、カバーを、正規の装着位置から水平方向にある程度移動させることは困難である。
したがって、カバーと座との間に、カバーを水平方向に若干移動させることにより、互いに緊密に係合するようにした相互係合手段を設けようとしても、係合溝に水平杆が嵌合している状態では、カバーを水平方向に移動させることは困難であるので、このような相互係合手段を設けることができない。
【０００６】
その反面、カバーを水平杆に装着した状態では、カバーは、係合溝内に嵌合した水平杆に、１対の可撓片が係合しているだけであるので、脚体に対してカバーががたつくとともに、カバーに下向きの外力が作用した場合に、カバーが外れるおそれがある。
【０００７】
本発明は、従来の技術が有する上記のような問題点に鑑み、カバーにおける水平杆の挿通部分を弾性撓曲し易くすることにより、カバーと座と間に、カバーを水平方向に若干移動させる必要のある相互係合手段を設けることができ、しかもカバーを座に対して、がたつき等が生じることなく、強固に係合させることができるようにした椅子を提供することを目的としている。
【課題を解決するための手段】
【０００８】
本発明によると、上記課題は、次のようにして解決される。
(１)  座を支持する座受け部から外側方に向かって延出する複数の水平杆の全部または一部の外端部に脚杆を設け、かつ前記座、座受け部、および水平杆の一部の下面をカバーにより覆った椅子において、前記カバーを弾性変形可能な材料により形成するとともに、前記カバーの外周に起立縁を設け、この起立縁に、前記各水平杆が挿通する挿通孔と、この挿通孔から前記起立縁の上端に至るスリットと、前記挿通孔からカバーの中央部に向かって延出するスリットとを設ける。
【０００９】
このような構成とすると、カバーにおける中央部に向かって延出するスリットの先端部から起立縁の上端にかけての挿通孔の両側部が弾性撓曲し易くなり、カバーを水平杆に装着し易くなるとともに、カバーと座と間に、カバーを水平方向に若干移動させる必要のある相互係合手段を設けることが可能となる。
【００１０】
(２)  上記(１)項において、カバーの一側部の上面と、それに対向する座の下面とのいずれか一方に係合凸部を突設し、かついずれか他方に、座に対してカバーが正規位置より側方に外れた組付け位置に位置しているときに、前記係合凸部が嵌合可能で、かつ前記カバーを正規位置へスライドさせることにより、前記カバーが下方へ移動するのを阻止するように前記係合凸部と係合しうるようにした係合孔を設け、さらに、カバーの他側部の上面と、それに対向する座の下面とのいずれか一方に係合爪を突設し、同じくいずれか他方に、座に対してカバーが正規位置に位置している状態で、前記係合爪が、前記カバーの組付け位置方向と下方への移動を阻止するように係合する被係合部を設ける。
【００１１】
このような構成とすると、カバーを、座に対して強固に係合させることができ、その結果、水平杆に対するカバーのがたつき等もなくなる。
【００１２】
(３)  上記(１)または(２)項において、カバーが正規位置に位置したとき、カバーに設けたねじ挿通孔が、座に設けたねじ孔と整合するようにし、かつ前記ねじ挿通孔に挿通した固定ねじを、前記ねじ孔に螺合して締め付けることにより、前記カバーを座にねじ止めする。
【００１３】
このような構成とすると、カバーを、さらに強固に座に固着することができる。
しかも、係合凸部と係合孔との係合、および係合爪と被係合部との係合により、カバーが正規位置に位置決めされたとき、カバーに設けたねじ挿通孔と、座に設けたねじ孔とが整合するので、ねじ止め作業を簡単かつ迅速に行うことができる。
【発明の効果】
【００１４】
本発明によると、カバーにおける水平杆の挿通部分を弾性撓曲し易くすることにより、カバーと座と間に、カバーを水平方向に若干移動させる必要のある相互係合手段を設けることができ、しかもカバーを座に対して、がたつき等が生じることなく、強固に係合させることができるようにした椅子を提供することができる。
【図面の簡単な説明】
【００１５】
【図１】本発明の一実施形態である椅子の斜視図である。
【図２】同じく、側面図である。
【図３】同じく、分解斜視図である。
【図４】背凭れの取付部分を示す一部切欠正面図である。
【図５】図４のV−V線拡大縦断側面図である。
【図６】座板の平面図である。
【図７】カバーの平面図である。
【図８】座板とカバーとを結合した状態を、図６および図７におけるVIII−VIII線に添って縦断した状態で示す拡大縦断側面図である。
【図９】他のタイプの椅子のフレームを示す斜視図である。
【発明を実施するための形態】
【００１６】
次に、本発明の一実施形態を備える椅子を、図１〜図８を参照して説明する。
図１〜図３に示すように、この椅子は、下端にキャスタ１を設けた左右１対の前脚２、２と、同じく左右１対の後脚３、３と、前後の端部が前脚２および後脚３の上端より若干下方の箇所に溶接等により固着され、かつ中間部が椅子の中央部に向かって内向きく字状に屈曲させられた左右１対の水平杆４、４(図示の例では、中央部が若干下傾されて完全な水平とはなっていない。したがって、「水平杆」には、若干傾斜しているものも含まれる)と、左右１対の水平杆４、４の内向湾曲部の前部同士および後部同士を互いに連結する左右方向を向く連結杆５、５とからなるフレーム６を備えている。
前脚２、２、後脚３、３、および水平杆４、４は、管材により形成されている。
【００１７】
フレーム６における左右１対の水平杆４、４と、前後の連結杆５、５とにより、座７を支持する座受け部８が形成されている。
座７は、合成樹脂製の座板９と、その上面に取り付けられ、かつ表面を表皮材１０ａにより被包したクッション体１０とからなっている。
【００１８】
前脚２の上端と後脚３の上端とには、それぞれ、前後方向を向く肘掛け１１の前端部および後端部が取り付けられている。
【００１９】
左右の後脚３、３における水平杆４、４の取付部より上方の部分は、左右１対の背凭れ支持杆１２、１２をなし、各支持杆１２の上端部内面には、上下方向を向くとともに、内方に向かって突出する板状の左右１対の取付片１３が、溶接等により固着されている。
【００２０】
図３〜図５に示すように、各取付片１３の先端は、上部の内方への突出量よりも、下部の内方への突出量が大となるように、中間部に傾斜縁１３ａを有する内向段状に形成されている。
【００２１】
また、各取付片１３の上下部には、取付片１３自体を側面視前向コ字状に折曲することにより、前方に向かって突出する補強部１３ｂ、１３ｃが形成されており、各補強部１３ｂ、１３ｃの内端部には、前後方向を向くねじ孔１４が設けられている。
【００２２】
背凭れ１５は、硬質合成樹脂製の背板１６に、下端が開口する袋状の背凭れカバー１７を被嵌したものよりなっている。
背板１６の下端両側部には、外側方に向かってわずかに突出する取付部１６ａ、１６ａが設けられており、各取付部１６ａには、下方と両側方とに開口し、正面形状が取付片１３の正面形状とほぼ補形をなすとともに、前後幅を取付片１３の補強部１３ｂ、１３ｃの厚さとほぼ同一とした上下方向を向く係合溝１８が設けられている。
【００２３】
背板１６は、その左右の係合溝１８、１８を、背凭れ支持杆１２、１２に固着した左右の取付片１３、１３に上方より嵌合し、そのとき、各取付片１３の上下の補強部１３ｂ、１３ｃを、背板１６における各係合溝１８を形成する前壁１６ｂおよび後壁１６ｃのうちの前壁１６ｂに当接させ、かつその前壁１６ｂを貫通させた固着手段である固定ねじ１９を、ねじ孔１４に螺合させて締め付けることにより、左右の背凭れ支持杆１２、１２に強固に固着されている。
【００２４】
背凭れカバー１７の両側下端部には、背板１６における取付部１６ａ、１６ａを挿通させるための切欠き２０、２０が設けられており、この切欠き２０、２０を通って、取付部１６ａ、１６ａが挿通するようにして、背凭れカバー１７を、背板１６に上方から被嵌し、かつ背板１６の下方において、背凭れカバー１７の下端開口部に設けたファスナー２１を閉じることにより、背板１６は、取付部１６ａ、１６ａ以外の部分を、背凭れカバー１７により被包されている。
【００２５】
図３および図６に示すように、座板９の中央部には、４個のねじ孔２２が、前後左右に２個ずつ並べて設けられており、座板９を、座受け部８の上面に載置して、前後の連結杆５、５の両側部を貫通させた固定ねじ２３を、上記各ねじ孔２２に螺合して締め付けることにより、座板９、およびそれに取り付けられたクッション体１０は、座受け部８に強固に固着されている。
【００２６】
座板９の両側部には、上記ねじ孔２２より小径の前後１対のねじ孔２４、２４が設けられており、座板９の前部には、前後方向に長い長方形の左右１対の凹入部２５、２５が設けられており、各凹入部２５の底壁２５ａには、拡幅部２６ａの後方に、狭幅部２６ｂが、それよりさらに狭幅の狭窄部２６ｃを介して連設されただるま孔状の係合孔２６が設けられている。
【００２７】
座板９の後部には、左右方向に長い左右１対の係合孔２７、２７が設けられており、各係合孔２７の前縁には、被係合部をなす凹入段部２７ａが設けられている。
【００２８】
図２、図３、図７、および図８に示すように、座受け部８の下面には、座７、座受け部８、および水平杆４の外端部を除く部分の下面を覆うカバー２８が取り付けられている。
【００２９】
カバー２８は、弾性変形可能な合成樹脂材料等により、平面視ほぼ方形の皿状に形成され、方形の底片２８ａと、その外周から斜め外上方に向かって延出する起立縁２８ｂとを備えている。
【００３０】
カバー２８の起立縁２８ｂにおける各コーナー部には、水平杆４を挿通しうる挿通孔２９と、この挿通孔２９から起立縁２８ｂの角部の上端に至るスリット３０と、挿通孔２９からカバー２８の中央部に向かって、底片２８ａと起立縁２８ｂとの境界部分まで延出するスリット３１とが設けられている。
【００３１】
したがって、カバー２８における起立縁２８ｂの各コーナー部は、スリット３０、３１と挿通孔２９とを設けたことにより、弾性撓曲し易くなり、カバー２８を、座受け部８の下方より上方に押し上げ、座受け部８から外側方に向かって延出する各水平杆４を、スリット３０を押し広げつつ通過させて、挿通孔２９に嵌合させることにより、カバー２８を、その中心が座受け部８の中心と一致する正規位置に簡単に装着することができ、また、その装着状態から、カバー２８の各コーナー部を弾性変形させることにより、カバー２８を、正規位置から任意の水平方向に若干移動させることもできるようになっている。
【００３２】
カバー２８における前部の左右両側部には、ボス部３２ａの上端に、頸部３２ｂを介して、拡大頭部３２ｃが連設された左右１対の係合凸部３２、３２が、座板９における左右のだるま孔２６、２６に対応するようして上向き突設されている。
【００３３】
頸部３２ｂの左右幅は、係合孔２６における狭窄部２６ｃの左右間隔とほぼ同一で、その狭窄部２６ｃを、所要の抵抗力をもって前後方向に通過しうるものとしてある。
拡大頭部３２ｃは、係合孔２６における拡幅部２６ａを上下方向に通過しうる平面形状とし、頸部３２ｂの上端より両側方と後方に突出している。
【００３４】
左右の係合凸部３２、３２は、カバー２８を正規位置から若干前方にずらした組付け位置において、各拡大頭部３２ｃを係合孔２６における拡幅部２６ａに下方より嵌合でき、次いで、カバー２８を正規位置まで後方にスライドさせることにより、頸部３２ｂが係合孔２６における狭窄部２６ｃを通過して、狭幅部２６ｂに嵌合しうるようになっている。この状態では、拡大頭部３２ｃの外周部が狭幅部２６ｂの周縁における凹入部２５の底壁２５ａの上面に当接して、カバー２８の下方への移動が阻止される。
カバー２８の各コーナー部を弾性変形し易くし、カバー２８を、正規位置から水平方向に若干移動しうるようにしたのは、このためである。
【００３５】
カバー２８における後部の左右両側部には、上端に前下がり傾斜する傾斜面３３ａを有する前方を向く爪３３ｂが設けられた左右１対の倒立Ｌ字状の係合爪３３、３３が、座板９における左右の係合孔２７、２７に対応するようして、上向きに突設されている。
【００３６】
左右の係合爪３３、３３は、カバー２８が正規位置に位置している状態で、上方に押し上げることにより、各傾斜面３３ａが係合孔２７における凹入段部２７ａの後縁に摺接して、後方に弾性撓曲させられた後、凹入段部２７ａの通過後、爪３３ｂが凹入段部２７ａの後縁部上面に係合し、カバー２８の前方への移動を阻止するようになっている。
【００３７】
したがって、左右の係合凸部３２、３２を、係合孔２６、２６の狭幅部２６ｂ、２６ｂに係合させた状態で、左右の係合爪３３、３３を、凹入段部２７ａ、２７ａの後縁部に係合させることにより、カバー２８の正規位置から前後方向および下方への移動が確実に阻止される。
【００３８】
また、カバー２８の左右方向への移動は、左右の係合凸部３２、３２における各頸部３２ｂが、係合孔２６の狭幅部２６ｂの両側縁により拘束されるとともに、左右の係合爪３３、３３が、各係合孔２７の両側縁により拘束されることにより阻止される。
さらに、カバー２８の上方への移動は、左右の係合凸部３２、３２における各ボス部３２ａの上端が、凹入部２５の底壁２５ａの下面に当接することだけでなく、カバー２８のいずれかの部分が、座７、座受け部８、または水平杆４の下面に当接することにより阻止される。
【００３９】
カバー２８の両側部には、前後１対のボス３４、３４が上向き突設されており、各ボス３４の中央には、カバー２８が正規位置に位置したとき、座板９の下面における両側部のねじ孔２４に整合するようにしたねじ挿通孔３５が設けられている。
【００４０】
カバー２８は、正規位置に位置した状態で、ボス３４、３４の上端を、座板９の下面における両側部のねじ孔２４、２４が設けられた部分に当接し、かつ各ボス３４の中央のねじ挿通孔３５に下方より挿通した固定ねじ３６を、各ねじ孔２４に螺合して締め付けることにより、座７の下面に強固に固着されている。
なお、この固定ねじ３６による座７へのカバー２８の固着は省略して実施することもある。
【００４１】
カバー２８の両側部における前後のボス３４、３４間には、前後方向に長い凹入部とした手掛け部３７が設けられ、椅子を持ち上げるとき、この左右の手掛け部３７、３７に手を掛けて、椅子を持ち上げ易くしてある。
【００４２】
なお、座板９の下面、およびカバー２８の上面には、補強等のための多数のリブが設けられているが、それらは本発明に直接関係しないため、図示および詳細な説明は省略する。
【００４３】
以上から明らかなように、この実施形態においては、座７を支持する座受け部８から外側方に向かって延出する複数の水平杆４の全部または一部の外端部に脚杆２、３が連設されており、かつ座７、座受け部８、および水平杆４の一部の下面をカバー２８により覆った椅子において、カバー２８を弾性変形可能な材料により形成するとともに、カバー２８の外周に起立縁２８ｂを設け、この起立縁２８ｂに、各水平杆４が挿通する挿通孔２９と、この挿通孔２９から起立縁２８ｂの上端に至るスリット３０と、挿通孔２９からカバー２８の中央部に向かって延出するスリット３１とを設けてあるので、カバー２８における中央部に向かって延出するスリット３１の先端部から起立縁２８ｂの上端にかけての挿通孔２９の両側部が弾性撓曲し易くなり、カバー２８を水平杆４に装着し易くなるとともに、カバー２８と座７と間に、カバー２８を水平方向に若干移動させる必要のある相互係合手段(この実施形態においては、係合孔２６係合凸部３２、および凹入段部２７ａと係合爪３３)を設けることが可能となる。
【００４４】
また、カバー２８の一側部の上面に、係合凸部３２を設け、かつそれに対向する座板９の一側部の下面に、座７に対してカバー２８が正規位置より側方に外れた組付け位置に位置しているときに、係合凸部３２が嵌合可能で、かつカバー２８を正規位置へスライドさせることにより、カバー２８が下方へ移動するのを阻止するように係合凸部３２と係合しうるようにした係合孔２６を設け、さらに、カバー２８の他側部の上面に、係合爪３３を突設し、かつそれに対向する座板９の他側部に、座７に対してカバー２８が正規位置に位置している状態で、係合爪３３が、カバー２８の組付け位置方向と下方への移動を阻止するように係合する係合孔２７における凹入段部２７ａを設けてあるので、カバー２８を、座７に対して強固に係合させることができ、その結果、水平杆４に対するカバー２８のがたつき等もなくなる。
【００４５】
さらに、カバー２８が正規位置に位置したとき、カバー２８に設けたねじ挿通孔３５が、座７に設けたねじ孔２４と整合するようにし、かつねじ挿通孔３５に挿通した固定ねじ３６を、ねじ孔２４に螺合して締め付けることにより、カバー２８を座７にねじ止めするようにしてあるので、カバー２８を、さらに強固に座７に固着することができる。
しかも、係合凸部３２と係合孔２６との係合、および係合爪３３と凹入段部２７ａとの係合により、カバー２８が正規位置に位置決めされたとき、カバー２８に設けたねじ挿通孔３５と、座７に設けたねじ孔２４とが整合するので、固定ねじ３６のねじ止め作業を簡単かつ迅速に行うことができる。
【００４６】
本発明は、上記実施形態のみに限定されるものではなく、例えば、図９に示すように、座受け部８から前方に向かって延出する左右１対の水平杆４、４の前端部のみに、前脚２、２である脚杆を連設し、その下端を、平面視前向コ字状としたベース脚３８の前端両側部に連設して、前脚２、２のみで座受け部８を支持し、左右の水平杆４、４の後端には、後脚を連設せず、上方に起立する背凭れ支持杆
１２、１２のみを連設したフレーム３９を有するタイプの椅子にも適用することができる。
【００４７】
また、本発明は、特許請求の範囲を逸脱することなく、例えば、次のような変形した態様での実施が可能である。
【００４８】
(Ａ)  係合凸部３２を座板９の一側部の下面に設け、それに対向するカバー２８の一側部に係合孔２６等の係合孔を設けたり、係合爪３３を座板９の他側部の下面に突設し、それに対向するカバー２８の他側部に係合孔２７における凹入段部２７ａ等の被係合部を設けたりしてもよい。
(Ｂ)  係合凸部３２を、正面視Ｔ字状の部材とし、係合孔２６を、だるま形のものに代えて、Ｔ字状のものとする。
(Ｃ)  カバー２８の起立縁２８ｂを、底片２８ａの外周から直角に上向折曲して形成する。
【符号の説明】
【００４９】
１  キャスタ
２  前脚
３  後脚
４  水平杆
５  連結杆
６  フレーム
７  座
８  座受け部
９  座板
１０  クッション体
１０ａ表皮材
１１  肘掛け
１２  背凭れ支持杆
１３  取付片
１３ａ傾斜縁
１３ｂ、１３ｃ  補強部
１４  ねじ孔
１５  背凭れ
１６  背板
１６ａ取付部
１６ｂ前壁
１６ｃ後壁
１７  背凭れカバー
１８  係合溝
１９  固定ねじ(固着手段)
２０  切欠き
２１  ファスナー
２２  ねじ孔
２３  固定ねじ
２４  ねじ孔
２５  凹入部
２５ａ底壁
２６  係合孔
２６ａ拡幅部
２６ｂ狭幅部
２６ｃ狭窄部
２７  係合孔
２７ａ凹入段部(被係合部)
２８  カバー
２８ａ底片
２８ｂ起立縁
２９  挿通孔
３０、３１  スリット
３２  係合凸部
３２ａボス部
３２ｂ頸部
３２ｃ拡大頭部
３３  係合爪
３３ａ傾斜面
３３ｂ爪
３４  ボス
３５  ねじ挿通孔
３６  固定ねじ
３７  手掛け部
３８  ベース脚
３９  フレーム
【図１】
2010259693.tif 000003
【図２】
2010259693.tif 000004
【図３】
2010259693.tif 000005
【図４】
2010259693.tif 000006
【図５】
2010259693.tif 000007
【図６】
2010259693.tif 000008
【図７】
2010259693.tif 000009
【図８】
2010259693.tif 000010
【図９】
2010259693.tif 000011